(57)【要約】【課題】本発明は、排気処理装置や排気管に藁屑や塵埃が堆積するのを防ぎ、高温の排気ガスを脱穀済みの排稈に吹き付けないようにして、コンバインの刈取収穫作業の安全性を高めることを課題とする。【解決手段】エンジン（７）から排出される排気ガスを浄化する排気処理装置（１３）を搭載し、脱穀装置（５）の一番揚穀筒（１７）の前側において排気処理装置（１３）から上方へ排気管（１１）を立設し、排気管（１１）の上部に排気誘導管（１２）を連結し、この排気誘導管（１２）を脱穀装置（５）の上側において後方へ延設して排気口（１２ａ）を後方へ向けて開口する。【選択図】図２
2015065817.tif 000002
【特許請求の範囲】
【請求項１】
走行車台（２）におけるエンジン（７）の後部で脱穀装置（５）とグレンタンク（４）の間の位置に、前記エンジン（７）から排出される排気ガスを浄化する排気処理装置（１３）を搭載し、前記脱穀装置（５）の一番揚穀筒（１７）の前側において排気処理装置（１３）から上方へ排気管（１１）を立設し、該排気管（１１）の上部に排気誘導管（１２）を連結し、この排気誘導管（１２）を脱穀装置（５）の上側において後方へ延設して排気口（１２ａ）を後方へ向けて開口したコンバイン。
【請求項２】
前記排気誘導管（１２）を、前記排気管（１１）の外周との間に所定の間隙を有して外嵌した請求項１に記載のコンバイン。
【請求項３】
前記排気誘導管（１２）の後部を下方へ湾曲させた請求項１または請求項２に記載のコンバイン。
【発明の詳細な説明】
【技術分野】
【０００１】
本発明は、コンバインに関する。
【背景技術】
【０００２】
下記の特許文献１には、刈取装置の後方で走行機台の左側に脱穀部を、右側に運転部及びエンジンカバーで囲われるエンジン並びにグレンタンクを配置したコンバインにおいて、エンジンの直後位置で脱穀部とグレンタンクのタンク傾斜底壁の下方とで形成される空間部内に、排気ガスに含まれる粒子状物質を除去するＤＰＦを配置し、このＤＰＦに接続される排気パイプを、グレンタンクの穀粒搬送オーガが内装されるタンク傾斜底壁の外側に沿わせて後方に向けて配置した構成が示されている。
【０００３】
また、同文献の図１０に、ＤＰＦの排気パイプを、カバー体の左傾斜側壁に挿入して上方に向けて屈曲延長させることにより、揚穀筒の外周に近接又は接当させた状態で沿わせ、排気パイプの排気口を揚穀筒の上部近傍において後方に向けて開口させるように設ける構成が示されている。
【０００４】
また、下記の特許文献２には、刈取、脱穀、選別後の籾を貯留するグレンタンクと、該グレンタンク内の籾を排出する縦送りオーガと横送りオーガを備えた排出オーガと、エンジンの排気ガスを排気音を低減させて排出する排気装置と、を備えたコンバインにおいて、前記排気装置のテールパイプを、機体の前後方向略中央部で、前記排出オーガの横送りオーガの下方に配置するとともに、機体後方に延出した構成が示されている。
【先行技術文献】
【特許文献】
【０００５】
【特許文献１】特開２０１１−１３５８４６号公報
【特許文献２】特開２０１１−２０６０６７号公報
【発明の概要】
【発明が解決しようとする課題】
【０００６】
コンバインは穀稈の刈取と共に穀粒の脱穀を行うために、機体の後方に脱穀済みの排稈が排出され、植立穀稈を掻き分けて走行するために多くの塵埃が発生する。
また、エンジンの排気処理装置（ＤＰＦや消音マフラー等）と排気管が高温になり、排気ガスも高温になる。
【０００７】
このために、排気処理装置や排気管に藁屑や塵埃が堆積し、この藁屑等が高温となる虞がある。
本発明は、排気処理装置や排気管に藁屑や塵埃が堆積するのを防ぎ、高温の排気ガスを脱穀済みの排稈に吹き付けないようにして、安全性を高めることを課題とする。
【課題を解決するための手段】
【０００８】
上記本発明の課題は、次の技術手段により解決される。
請求項１に記載の発明は、走行車台（２）におけるエンジン（７）の後部で脱穀装置（５）とグレンタンク（４）の間の位置に、前記エンジン（７）から排出される排気ガスを浄化する排気処理装置（１３）を搭載し、前記脱穀装置（５）の一番揚穀筒（１７）の前側において排気処理装置（１３）から上方へ排気管（１１）を立設し、該排気管（１１）の上部に排気誘導管（１２）を連結し、この排気誘導管（１２）を脱穀装置（５）の上側において後方へ延設して排気口（１２ａ）を後方へ向けて開口したコンバインとする。
【０００９】
請求項２に記載の発明は、前記排気誘導管（１２）を、前記排気管（１１）の外周との間に所定の間隙を有して外嵌した請求項１に記載のコンバインとする。
請求項３に記載の発明は、前記排気誘導管（１２）の後部を下方へ湾曲させた請求項１または請求項２に記載のコンバインとする。
【発明の効果】
【００１０】
請求項１に記載の発明によれば、排気管（１１）を一番揚穀筒（１７）の前側において排気処理装置（１３）から上方へ立設しているので排気管１１上に藁屑や塵埃が溜まり難く、排気誘導管（１２）の後部が脱穀装置（５）の上側において後方へ延設していることで、脱穀装置（５）から発生する藁屑や塵埃が排気誘導管（１２）に付着したり堆積することを抑制し、刈取収穫作業の安全性を高めることができる。
【００１１】
請求項２に記載の発明によれば、請求項１に記載の発明の効果に加え、排気誘導管（１２）を、排気管（１１）の外周との間に所定の間隙を有して外嵌しているので、排気管（１１）から排気誘導管（１２）に熱が伝わりにくく、また、排気管（１１）と排気誘導管（１２）の隙間から外気が導入されて排気誘導管（１２）内の温度が低下するため、更に安全性を高めることができる。
【００１２】
請求項３に記載の発明によれば、請求項１または請求項２に記載の発明の効果に加え、排気誘導管（１２）の後部を下方へ湾曲させているので、排気誘導管（１２）内に異物が入り込むことを防止することができる。
【図面の簡単な説明】
【００１３】
【図１】コンバインの左側面図である。
【図２】コンバインの一部拡大側断面図である。
【図３】コンバインの一部拡大平面図である。
【図４】第二実施例の排気誘導管後部を示す側面図である。
【図５】第三実施例の排気誘導管後部を示す側面図である。
【図６】第四実施例の排気誘導管後部を示す側面図である。
【図７】第五実施例の排気誘導管後部を示す側面図である。
【図８】別実施例のコンバインの一部拡大平面図である。
【図９】別実施例のコンバインの一部拡大側断面図である。
【発明を実施するための形態】
【００１４】
以下、本発明の実施形態を図面に示す実施例を参照しながら説明する。なお、左右とはコンバイン側から前方に向かって左と右をいうものとする。
図１はコンバインの側面図を示し、クローラ走行装置１を装備した走行車台２の前部右側にキャビン３を搭載し、このキャビン３の後部にグレンタンク４を搭載し、該グレンタンク４の左側に脱穀装置５を搭載している。走行車台２の前側には刈取装置（作業部）６を昇降可能に装着し、この刈取装置６で刈り取った穀稈をキャビン３の左側に設ける穀稈搬送装置で脱穀装置５に搬送する。
【００１５】
エンジン７は、キャビン３の操縦席１８下部で走行車台２に搭載し、脱穀装置５とグレンタンク４の間にＤＯＣ９とＤＰＦ１０を搭載し、エンジン７の前部排気管８をＤＯＣ９の上部に繋ぎ、ＤＯＣ９からＤＰＦ１０に排気ガスを送り、ＤＰＦ１０の排気口に合わせて後部排気管１１を連結し、その後部排気管１１を脱穀装置５の一番揚穀筒１７の前で上方に向けて略垂直に立設する。ＤＯＣ９とＤＰＦ１０は排気ガスを浄化する排気処理装置１３であるが、この排気処理装置１３は、従来の消音装置とすることもできる。
【００１６】
排気処理装置１３の配置位置は、左側の脱穀装置５と右側のグレンタンク４の間で、走行車台２の左右及び前後の中央に位置して、キャビン３内の操縦席１８から離れている。このようなＤＰＦ１０の位置は、操縦席１８に熱風を送らず、脱穀装置５のトウミが吸い込む空気を暖めて収穫する穀粒を乾燥する効果がある。
【００１７】
後部排気管１１には、脱穀装置５の外壁に取り付ける取付部材１４で支持した排気誘導管１２を連結する。排気誘導管１２の下部を一番揚穀筒１７に支持し排気誘導管１２の上部を脱穀装置５に支持しても良い。
【００１８】
排気誘導管１２は、脱穀装置５とグレンタンク４の間に設け、後部排気管１１を差し込む差し込み部１２ｂを充分に長く差し込んで排ガスの吹き返しを防ぎ、排気管１１と排気誘導管１２の隙間持たせて熱が伝わらないようにするが、隙間に断熱材を挿入しても良い。そして、やや前側に傾いた差し込み部１２ｂに続けて脱穀装置５の上側まで垂直に立ち上げ、後端の排気口１２ａへ向かって水平に伸ばしている。
【００１９】
排気誘導管１２の排気口１２ａは、機体の後部で後方へ向けて開口するが、図４や図５に示す如く、側面視で斜め下方或いは上方に切った形状にしても良く、排気口１２ａ位置をカッター部１５の後まで伸ばしても良く、図６の如く、排気誘導管１２の後部を斜め上方へ湾曲しても良く、図７の如く、排気誘導管１２の後部を脱穀装置５の後で下方へ向けて曲げた形状にしても良い。また、排気誘導管１２は、脱穀装置５のフレームと一体で形成することもできる。
【００２０】
また、図８の如く、排気誘導管１２の後部を脱穀装置５の後側で左側に曲げてさらに後方へ向けた形状にしても良く、図９に示す如く、排気誘導管１２の後部に延長排気誘導管１６を連結するようにしても良い。
【符号の説明】
【００２１】
４  グレンタンク
５  脱穀装置
７  エンジン
１１  排気管（後部排気管）
１２  排気誘導管
１３  排気処理装置
１７  一番揚穀筒
【図１】
2015065817.tif 000003
【図２】
2015065817.tif 000004
【図３】
2015065817.tif 000005
【図４】
2015065817.tif 000006
【図５】
2015065817.tif 000007
【図６】
2015065817.tif 000008
【図７】
2015065817.tif 000009
【図８】
2015065817.tif 000010
【図９】
2015065817.tif 000011